【事件の表示】
　特許第２９３３１２７号「田植機の植付装置」の特許に対する特許異議の申立てについて、次のとおり決定する。
【結　論】
　訂正を認める。
　特許第２９３３１２７号の特許を維持する。
【理　由】
１．手続きの経緯
　特許第２９３３１２７号の発明についての出願は、昭和５８年１２月１３日に出願した実願昭５８−１９２８０６号の出願の一部を、平成５年１１月２日に実願平５−６３５９９号として分割出願し、さらに、平成８年７月１日に特願平８−１９１３４７号として変更出願したものである。この特願平８−１９１３４７号は平成１１年５月２８日にその発明について設定の登録がされ、その後、その特許について、異議申立人　山本　進　により異議の申立がなされ、取消しの理由が通知され、その指定期間内である平成１２年１２月２２日に訂正請求（後日取下）がなされた後、再度取消しの理由が通知され、その指定期間内である平成１３年２月２８日に訂正請求がなされたものである。
２．訂正の適否についての判断
（１）訂正の内容
　特許権者が求めている訂正の内容は以下のａ〜ｅのとおりである。
ア．訂正事項ａ
　特許請求の範囲第１項の記載
「【請求項１】
　左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）と左側２条分及び右側２条分の苗縦送り部材（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）と縦送りクラッチ（６８）を左側または右側の単一のユニットクラッチレバー（５７ｂ）（５７ｃ）にワイヤ（５６）（６６）連結させたことを特徴とする田植機の植付装置。」
を、
「【請求項１】
　左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており、前記回転支軸（５８）と左側２条分及び右側２条分の苗縦送り部材（４３）（４３）の連結途中で左側２条分及び右側２条分の植付ユニット別に前記クラッチ爪（６２ａ）（６２ｂ）を噛合せ状態及び噛合せを解除させて縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させたことを特徴とする田植機の植付装置。」
と訂正する。
イ．訂正事項ｂ
　明細書の段落番号【０００４】の記載
「【０００４】
　【課題を解決するための手段】
　然るに、本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）と左側２条分及び右側２条分の苗縦送り部材（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）と縦送りクラッチ（６８）を左側または右側の単一のユニットクラッチレバー（５７ｂ）（５７ｃ）にワイヤ（５６）（６６）連結させたもので、回転支軸に苗縦送り部材を多重軸形に支持させ得、回転支軸軸芯上などに縦送りクラッチをコンパクトに取付け得ると共に、縦送り従動カムに縦送り駆動力を伝達させる縦送り駆動入力を従来のように植付ユニット数分だけ設ける必要がなく、また回転支軸に縦送り従動カムを設けることによって従来のように苗載台左右往復動用の横送り部材を兼用して縦送り力を伝達させる必要がなく、縦送り従動カムによって回転支軸に直接伝達させる縦送り駆動入力によって全ての植付ユニットの苗縦送り部材を駆動し得、回転支軸に至るまでの駆動系を全ての苗縦送り部材に共用し得、従来に比べて縦送り駆動構造の簡略化並びに製造コストの低減などを容易に行い得、さらに１条分の往復用縦送り駆動カムを筒体両端に設けて１条分の縦送りクラッチを形成する従来技術に比べ、１つのユニットクラッチによって停止させる２条分の植付爪と同一条数の２条分の苗縦送り部材を１本のユニットクラッチレバーで停止させる縦送りクラッチ構造を容易に得られ、ワイヤ連結させるユニットクラッチレバーまたはユニットクラッチと離れた位置の苗載台に前記縦送りクラッチを容易に組込み得るものである。」
を
「【０００４】
　【課題を解決するための手段】
　然るに、本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ連結部（６７）を有しており、前記回転支軸（５８）と左側２条分及び右側２条分の苗縦送り部材（４３）（４３）の連結途中で左側２条分及び右側２条分の植付ユニット別に前記クラッチ爪（６２ａ）（６２ｂ）を噛合せ状態及び噛合せを解除させて縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させたもので、回転支軸に苗縦送り部材を多重軸形に支持させ得、回転支軸軸芯上などに縦送りクラッチをコンパクトに取付け得ると共に、縦送り従動カムに縦送り駆動力を伝達させる縦送り駆動入力を従来のように植付ユニット数分だけ設ける必要がなく、また回転支軸に縦送り従動カムを設けることによって従来のように苗載台左右往復動用の横送り部材を兼用して縦送り力を伝達させる必要がなく、縦送り従動カムによって回転支軸に直接伝達させる縦送り駆動入力によって全ての植付ユニットの苗縦送り部材を駆動し得、回転支軸に至るまでの駆動系を全ての苗縦送り部材に共用し得、従来に比べて縦送り駆動構造の簡略化並びに製造コストの低減などを容易に行い得、さらに１条分の往復用縦送り駆動カムを筒体両端に設けて１条分の縦送りクラッチを形成する従来技術に比べ、１つのユニットクラッチによって停止させる２条分の植付爪と同一条数の２条分の苗縦送り部材を１本のユニットクラッチレバーで停止させる縦送りクラッチ構造を容易に得られ、ワイヤ連結させるユニットクラッチレバーまたはユニットクラッチと離れた位置の苗載台に前記縦送りクラッチを容易に組込み得るものである。」
と訂正する。
ウ．訂正事項ｃ
　明細書の段落番号【００１２】の記載
「【００１２】
　図５乃至図７に示す如く、前記縦送り軸（４２）は、回転支軸（５８）に一方向クラッチ（５９）を介し支持させて前記従動カム（４０ｂ）を外側に有するカム軸（６０）と、前記ユニットクラッチ（４８）に対応する苗載台（１３）条間の支軸（５８）上にピン（６１）を介し固設させて左右両側にクラッチ爪（６２ａ）を有する固定側クラッチ（６３）と、前記支軸（５８）の外周に嵌合させて前記クラッチ爪（６２ａ）に一側のクラッチ爪（６２ｂ）を適宜噛合せる可動側クラッチ（６４）と、前記可動クラッチ（６４）の外周に回動自在に支持させて一側にカム接触面（６５）を外側に前記クラッチレバー（５７ａ）（５７ｂ）（５７ｃ）とのワイヤ（６６）連結部（６７）を有してなる縦送りクラッチ（６８）と、前記苗載台（１３）の下面に固設させ左右両側に前記接触面（６５）に当接させるカム面（６９）を有する固定カム体（７０）と、一端を前記クラッチ（６４）（６８）にスプリング（７１）と長孔（７２）及びピン（７３）を介し支持させ他端を前記カム軸（６０）及び苗載台（１３）の支持部材（７４）に支持させる複数のスターホイル（４３）を有する縦送り筒軸（７５）とから構成し、通常は前記クラッチ爪（６２ａ）（６２ｂ）を噛合せ状態とさせることによって前記カム（４０ｂ）の一方向の間欠回転を支軸（５８）・クラッチ（６３）（６４）・ピン（６２）並びに筒軸（７５）などを介し前記スターホイル（４３）に伝達して苗載台（１３）上の苗の縦送りを行わしめる一方、前記クラッチレバー（５７ａ）（５７ｂ）（５７ｃ）の戻りバネ（７６）に抗するワイヤ（６６）の引張り操作によって前記クラッチ（６８）を回転させるとき、前記カム体（７０）のカム面（６９）と該クラッチ（６８）のカム接触面（６５）とのカム係合によってクラッチ（６４）（６８）を後退させ前記クラッチ爪（６２ａ）（６２ｂ）の噛合せを解除させてそのユニットクラッチ（４８）に対応する苗載台（１３）の各条のスターホイル（４３）を駆動停止させるように構成している。」
を、
「【００１２】
　図５乃至図７に示す如く、前記縦送り軸（４２）は、回転支軸（５８）に一方向クラッチ（５９）を介し支持させて前記従動カム（４０ｂ）を外側に有するカム軸（６０）と、前記ユニットクラッチ（４８）に対応する苗載台（１３）条間の支軸（５８）上にピン（６１）を介し固設させて左右両側にクラッチ爪（６２ａ）を有する固定側クラッチ（６３）と、前記支軸（５８）の外周に嵌合させて前記クラッチ爪（６２ａ）に一側のクラッチ爪（６２ｂ）を適宜噛合せる可動側クラッチ（６４）と、前記可動クラッチ（６４）の外周に回動自在に支持させて一側にカム接触面（６５）を外側に前記ユニットクラッチレバー（５７ａ）（５７ｂ）（５７ｃ）とのワイヤ（６６）連結部（６７）を有してなる縦送りクラッチ（６８）と、前記苗載台（１３）の下面に固設させ左右両側に前記接触面（６５）に当接させるカム面（６９）を有する固定カム体（７０）と、一端を前記クラッチ（６４）（６８）にスプリング（７１）と長孔（７２）及びピン（７３）を介し支持させ他端を前記カム軸（６０）及び苗載台（１３）の支持部材（７４）に支持させる複数のスターホイル（４３）を有する縦送り筒軸（７５）とから構成し、通常は前記クラッチ爪（６２ａ）（６２ｂ）を噛合せ状態とさせることによって前記カム（４０ｂ）の一方向の間欠回転を支軸（５８）・クラッチ（６３）（６４）・ピン（６２）並びに筒軸（７５）などを介し前記スターホイル（４３）に伝達して苗載台（１３）上の苗の縦送りを行わしめる一方、前記ユニットクラッチレバー（５７ａ）（５７ｂ）（５７ｃ）の戻りバネ（７６）に抗するワイヤ（６６）の引張り操作によって前記クラッチ（６８）を回転させるとき、前記カム体（７０）のカム面（６９）と該クラッチ（６８）のカム接触面（６５）とのカム係合によってクラッチ（６４）（６８）を後退させ前記クラッチ爪（６２ａ）（６２ｂ）の噛合せを解除させてそのユニットクラッチ（４８）に対応する苗載台（１３）の各条のスターホイル（４３）を駆動停止させるように構成している。」
と訂正する。
エ．訂正事項ｄ
　明細書の段落番号【００１３】の記載
「【００１３】
　上記から明らかなように、左側２条分及び右側２条分の植付爪（１４）を植付ユニット別に停止させる左側及び右側ユニットクラッチ（４８）を切にしたとき、その植付爪（１４）に対応する苗縦送り部材であるスターホイル（４３）を連動して停止させる縦送りクラッチ（６８）を設ける田植機の植付装置において、縦送り駆動カム（４０ａ）の駆動によって複数条用のスターホイル（４３）…を同時に作動させる縦送り従動カム（４０ｂ）を回転支軸（５８）に設け、該回転支軸（５８）にスターホイル（４３）を遊転軸支させ、前記回転支軸（５８）を介してスターホイル（４３）を苗載台（１３）に取付けると共に、前記回転支軸（５８）と左側２条分及び右側２条分のスターホイル（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側のスターホイル（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）と縦送りクラッチ（６８）を左側または右側の単一のユニットクラッチレバー（５７ｂ）（５７ｃ）にワイヤ（５６）（６６連結させている。そして、回転支軸（５８）にスターホイル（４３）を多重軸形に支持させ、回転支軸（５８）軸芯上などに縦送りクラッチ（６８）をコンパクトに取付けると共に、縦送り従動カム（４０ｂ）に縦送り駆動力を伝達させる縦送り駆動入力を従来のように植付ユニット数分だけ設ける必要がなく、また回転支軸（５８）に縦送り従動カム（４０ｂ）を設けることによって従来のように苗載台（１３）左右往復動用の横送り部材（３７）を兼用して縦送り力を伝達させる必要がなく、縦送り従動カム（４０ｂ）によって回転支軸（５８）に直接伝達させる縦送り駆動入力によって全ての植付ユニットのスターホイル（４３）を駆動させ、回転支軸（５８）に至るまでの駆動系を全てのスターホイル（４３）に共用させ、従来に比べて縦送り駆動構造の簡略化並びに製造コストの低減などを行え、さらに１条分の往復用縦送り駆動カムを筒体両端に設けて１条分の縦送りクラッチを形成する従来技術に比べ、１つのユニットクラッチ（４８）によって停止させる２条分の植付爪（１４）（１４）と同一条数の２条分のスターホイル（４３）（４３）を１本のユニットクラッチレバー（５７ｂ）（５７ｃ）で停止させる縦送りクラッチ（６８）構造を容易に得られ、ワイヤ（５６）（６６）連結させるユニットクラッチレバー（５７ｂ）（５７ｃ）またはユニットクラッチ（４８）と離れた位置の苗載台（１３）に前記縦送りクラッチ（６８）を容易に組込み得るように構成している。」
を、
「【００１３】
　上記から明らかなように、左側２条分及び右側２条分の植付爪（１４）を植付ユニット別に停止させる左側及び右側ユニットクラッチ（４８）を切にしたとき、その植付爪（１４）に対応する苗縦送り部材であるスターホイル（４３）を連動して停止させる縦送りクラッチ（６８）を設ける田植機の植付装置において、縦送り駆動カム（４０ａ）の駆動によって複数条用のスターホイル（４３）…を同時に作動させる縦送り従動カム（４０ｂ）を回転支軸（５８）に設け、該回転支軸（５８）にスターホイル（４３）を遊転軸支させ、前記回転支軸（５８）を介してスターホイル（４３）を苗載台（１３）に取付けると共に、前記回転支軸（５８）と左側２条分及び右側２条分のスターホイル（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側のスターホイル（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させている。そして、回転支軸（５８）にスターホイル（４３）を多重軸形に支持させ、回転支軸（５８）軸芯上などに縦送りクラッチ（６８）をコンパクトに取付けると共に、縦送り従動カム（４０ｂ）に縦送り駆動力を伝達させる縦送り駆動入力を従来のように植付ユニット数分だけ設ける必要がなく、また回転支軸（５８）に縦送り従動カム（４０ｂ）を設けることによって従来のように苗載台（１３）左右往復動用の横送り部材（３７）を兼用して縦送り力を伝達させる必要がなく、縦送り従動カム（４０ｂ）によって回転支軸（５８）に直接伝達させる縦送り駆動入力によって全ての植付ユニットのスターホイル（４３）を駆動させ、回転支軸（５８）に至るまでの駆動系を全てのスターホイル（４３）に共用させ、従来に比べて縦送り駆動構造の簡略化並びに製造コストの低減などを行え、さらに１条分の往復用縦送り駆動カムを筒体両端に設けて１条分の縦送りクラッチを形成する従来技術に比べ、１つのユニットクラッチ（４８）によって停止させる２条分の植付爪（１４）（１４）と同一条数の２条分のスターホイル（４３）（４３）を１本のユニットクラッチレバー（５７ｂ）（５７ｃ）で停止させる縦送りクラッチ（６８）（６８）構造を容易に得られ、ワイヤ（５６）（６６）（５６）（６６）連結させるユニットクラッチレバー（５７ｂ）（５７ｃ）またはユニットクラッチ（４８）（４８）と離れた位置の苗載台（１３）に前記縦送りクラッチ（６８）（６８）を容易に組込み得るように構成している。」
と訂正する。
オ．訂正事項ｅ
　明細書の段落番号【００１６】の記載
「【００１６】
　【発明の効果】
　以上実施例から明らかなように本発明は、左側２条分及び右側２条分の植付爪（１４）を植付ユニット別に停止させる左側及び右側ユニットクラッチ（４８）を切にしたとき、その植付爪（１４）に対応する苗縦送り都材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）と左側２条分及び右側２条分の苗縦送り部材（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）と縦送りクラッチ（６８）を左側または右側の単一のユニットクラッチレバー（５７ｂ）（５７ｃ）にワイヤ（５６）（６６）連結させたもので、回転支軸（５８）に苗縦送り部材（４３）を多重軸形に支持させることができ、回転支軸（５８）軸芯上などに縦送りクラッチ（６８）をコンパクトに取付けることができると共に、縦送り従動カム（４０ｂ）に縦送り駆動力を伝達させる縦送り駆動入力を従来のように植付ユニット数分だけ設ける必要がなく、また回転支軸（５８）に縦送り従動カム（４０ｂ）を設けることによって従来のように苗載台（１３）左右往復動用の横送り部材（３７）を兼用して縦送り力を伝達させる必要がなく、縦送り従動カム（４０ｂ）によって回転支軸（５８）に直接伝達させる縦送り駆動入力によって全ての植付ユニットの苗縦送り部材（４３）を駆動でき、回転支軸（５８）に至るまでの駆動系を全ての苗縦送り部材（４３）に共用でき、従来に比べて縦送り駆動構造の簡略化並びに製造コストの低減などを容易に行うことができ、さらに１条分の往復用縦送り駆動カムを筒体両端に設けて１条分の縦送りクラッチを形成する従来技術に比べ、１つのユニットクラッチ（４８）によって停止させる２条分の植付爪（１４）（１４）と同一条数の２条分の苗縦送り部材（４３）（４３）を１本のユニットクラッチレバー（５７ｂ）（５７ｃ）で停止させる縦送りクラッチ（６８）構造を容易に得ることができ、ワイヤ（５６）（６６）連結させるユニットクラッチレバー（５７ｂ）（５７ｃ）またはユニットクラッチ（４８）と離れた位置の苗載台（１３）に前記縦送りクラッチ（６８）を容易に組込むことができるものである。」
を、
「【００１６】
　【発明の効果】
　以上実施例から明らかなように本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており、前記回転支軸（５８）と左側２条分及び右側２条分の苗縦送り部材（４３）（４３）の連結途中で左側２条分及び右側２条分の植付ユニット別に前記クラッチ爪（６２ａ）（６２ｂ）を噛合せ状態及び噛合せを解除させて縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させたもので、回転支軸（５８）に苗縦送り部材（４３）を多重軸形に支持させることができ、回転支軸（５８）軸芯上などに縦送りクラッチ（６８）をコンパクトに取付けることができると共に、縦送り従動カム（４０ｂ）に縦送り駆動力を伝達させる縦送り駆動入力を従来のように植付ユニット数分だけ設ける必要がなく、また回転支軸（５８）に縦送り従動カム（４０ｂ）を設けることによって従来のように苗載台（１３）左右往復動用の横送り部材（３７）を兼用して縦送り力を伝達させる必要がなく、縦送り従動カム（４０ｂ）によって回転支軸（５８）に直接伝達させる縦送り駆動入力によって全ての植付ユニットの苗縦送り部材（４３）を駆動でき、回転支軸（５８）に至るまでの駆動系を全ての苗縦送り部材（４３）に共用でき、従来に比べて縦送り駆動構造の簡略化並びに製造コストの低減などを容易に行うことができ、さらに１条分の往復用縦送り駆動カムを筒体両端に設けて１条分の縦送りクラッチを形成する従来技術に比べ、１つのユニットクラッチ（４８）によって停止させる２条分の植付爪（１４）（１４）と同一条数の２条分の苗縦送り部材（４３）（４３）を１本のユニットクラッチレバー（５７ｂ）（５７ｃ）で停止させる縦送りクラッチ（６８）（６８）構造を容易に得ることができ、ワイヤ（５６）（６６）（５６）（６６）連結させるユニットクラッチレバー（５７ｂ）（５７ｃ）またはユニットクラッチ（４８）（４８）と離れた位置の苗載台（１３）に前記縦送りクラッチ（６８）（６８）を容易に組込むことができるものである。」
と訂正する。
（２）訂正の目的の適否、新規事項の有無、及び特許請求の範囲の拡張・変更の存否
　上記訂正事項ａは回転支軸（５８）と苗縦送り部材（４３）（４３）を連結するクラッチ（クラッチを代表するものとしてのあるいは広義の「縦送りクラッチ（６８）（６８）」）について、駆動力伝達要素である「固定側クラッチ（６３）」及び「可動側クラッチ（６４）」と、駆動力入切要素である「（本来のあるいは狭義の）縦送りクラッチ（６８）（６８）」を付加記載し、当該クラッチを具体化して限定するものであり、願書に添付された明細書の段落【００１２】に記載されているから、特許請求の範囲の減縮を目的とした明細書の訂正に該当し、また、上記訂正事項ｂ〜ｅは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
（３）むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
３．特許異議の申立てについて
（１）申立ての理由の概要
　特許異議申立人　山本　進　は、甲第１号証（実願昭５３−１４１４１１号（実開昭５５−５６５２１号）のマイクロフイルム）、甲第２号証（実公昭５７−５３１２５号公報）、甲第３号証（実公昭５６−４９３００号公報）、甲第４号証（特開昭５７−１２９１３号公報）、甲第４号証の２（特開昭５７−１９８０１４号公報）、甲第４号証の３（特公昭５７−５６８４５号公報）、甲第４号証の４（実願昭５５−１３４５６５号（実開昭５７−５６４１９号）のマイクロフイルム）を提出して、特許第２９３３１２７号の発明は、本件出願前に日本国内において頒布された刊行物に記載された発明に基づいてその発明の属する技術の分野における通常の知識を有する者が容易に発明をすることができたものであるから、本件特許は特許法第２９条第２項の規定に違反してされたものであるから、特許法第１１３条第２号に該当し、特許を取消すべき旨主張している。
（２）本件発明
　上記２．で示したように上記訂正が認められるから、本件の発明の要旨は、上記訂正請求に係る訂正明細書の特許請求の範囲第１項に記載されたとおりのものである。
（３）甲各号証の記載事項
　特許異議申立人が証拠として提出した刊行物には、それぞれ以下の事項が記載されている。
　甲第１号証には、つぎの事項が記載されている。
「前記分割部分（３ａ）・・夫々の搬送終端側のベルト車（５）・・夫々に爪車（１３）を連設すると共に、前記支軸（８）から前記爪車（１３）・・に近接位置させてアーム（１４）を延設し、アーム（１４）・・夫々に前記爪車（１３）・・に係合する爪（１５）を設け、そして、前記横送り軸（１１）と前記アーム（１４）・・の１個をリンク（１６）を介して連動連結してあり、もって、コンベア（３）が往復移動に伴って方向転換する際に、前記横送り軸（１１）が回転され、それに伴いアーム（１４）・・を一体揺動し、爪（１５）・・を介してベルト車（５）・・を所定角度回転させベルトコンベア（３）を駆動し、そこに載置のマット状苗を苗植付爪（２）・・側に所定量づつ間歇的に供給していけるように構成してある。」（３頁１１行〜４頁４行）、「前記爪（１５）・・夫々は、アーム（１４）に揺動自在に取付けられると共に、引っ張りスプリング（１７）が張設され、かつ、その取付位置を、爪（１５）・・を爪車（１３）・・に係合させる状態及び爪車（１３）・・ から係合解除してストッパー（１８）に接当させた状態夫々を維持できるように設定し、クラッチ（１９）・・に構成してあり、」（４頁１０行〜１６行）
　甲第２号証（当審が通知した取消の理由に引用した引用例１）には、つぎの事項が記載されている。
「また、２８はブラケット２８ａを介して値付クラッチ操作レバー１６の中途部に固定された作動フォークであつて、該作動フォーク２８とホルダ１７間には弾機２９が介装されており、上記操作レバー１６を常時クラッチ「入」方向に付勢しているものである。３０はホルダ１７に固定されたストッパ、３１は操作レバー１６に固定された係止ピンである。
　次に、３２は苗縦送り機構（図示せず）の駆動シャフトであって、該駆動シャフト３２には第４図に示す如く両端に駆動カム３２ａ、３２ｂを固着した筒体３３が摺動自在に遊嵌されており、この筒体３３の一側部には円周方向に溝３３′が凹設され、該溝３３′には前記作動フォーク２８が嵌入し、弾機２９の押圧力で筒体３３を第４図右方向に付勢しているため、上記筒体３３の一端が駆動シャフト３２の所定部位に設けたピン３４に係合し筒体３３および駆動カム３３ａ、３３ｂが駆動シャフト３２と一体回動するようになっている。そして、苗載置台１２と一体的に左右往復移動するカムフオロア３５が左右移動終端位置にきたとき、駆動カム３３ａ、３３ｂに係合して苗縦送り機構を駆動させ、苗載置台１２上の苗を苗繰出方向に縦送りするものである。」（４欄１８行〜４１行）、「なお、上記植付クラッチ操作レバー１６および該操作レバー１６と苗縦送り機構との連動機構は各プランタケース１３に内蔵された植付クラッチＡに対応して夫々独立的に設けられていることは勿論であり、植付クラッチ操作レバー１６は苗植付部９の左右両側に２個ずつ配設されており、夫夫別個独立して操作し得るようになっている。」（５欄３行〜９行）、　「一方、上記操作レバー１６の引操作により作動フォーク２８も同時に第４図左方向に移動するので筒体３３および該筒体３３の両端に固定された駆動カム３３ａ、３３ｂも同方向に一体的に移動するため、筒体３３の一端部は駆動シャフト３２のピン３４から離脱すると共に、他端部が係合部３６ａに係合固定され、そのため、筒体３３および駆動カム３３ａ、３３ｂの回転は停止し駆動シャフト３２のみが遊転する。その結果上記苗植付爪１５、１５に対応する苗縦送り機構の作動も同時に停止することとなる。従って、カムフォロアー３５が苗載置台１２と一体的に左右移動終端部に至っても苗載置台１２上の苗は縦送り作用を受けないので該部の苗が苗繰出方向に圧縮されて苗を傷めることは確実に防止される。」（６欄５行〜１９行）
　甲第３号証（当審が通知した取消の理由に引用した引用例２）には、つぎの事項が記載されている。
「１２は回転軸で、前記苗タンク７の前側部側底板下部に回転自在に横方向へ軸受されてあって、この軸１２にラチエットホイル１３と回動レバー１４付きのラチエット爪１５とを設けて、該回動レバー１４を矢印イ方向に回転するときにラチエット爪１５がラチエットホイル１３の係合して軸１２を同じく矢印イ方向へ回転するようになっている。１６は回転レバー１４の先端部に回転自由に設けられたカムフロアーである。２１は回動レバー復帰用のばねである。
　１７は揺動カムで、中間部を前記操縦ハンドル６に枢着１８してあって、基部側を前記植付部伝動ケース３内に設けられた間欠揺動機構にアーム１９及びロッド２０を介して連接され、先端部は、前記苗タンク７が左右横移動終端に達したときに前記回動レバー１４のカムフロアー１６位に相対向する部位に配設してある。そして、前記間欠揺動機構は、苗タンク７を左右往復横移動する往復横移動機構に関連させて、該苗タンク７を横端に至らしめたときにのみ作動するようにしてあり、このときアーム１９を矢印ロ方向に一定量回動するようになっている。
　２２は苗床送りローラーで、周面には苗床係合爪２３が形成されてあつて前記回転軸１２に回転自由に遊嵌されていて、該係合爪２３部が前記苗タンク７の底板に穿設した孔３５から苗タンク内に突出するように設けてある。
　２４は摩擦式クラッチ機構で、前記回転軸１２に軸方向に移動自在に楔着された摩擦回転子２５を前記苗床送ローラー２２の側端面にクラッチばね２６で圧接せしめた構成となし、該苗床送ローラー２２が摩擦回転子２５を介して軸１２と一体的に回転されるようになっている。
　３６は切替機構で、図例ではドッグクラツチ機構が採用してあって、前記苗床送ローラー２２の前記摩擦回転子２５側と反対側にクラッチ爪２７を設け、他方、前記回転軸１２と同一軸芯状態で固定されている固定軸３０には、軸方向にレバー２８でもって移動のみ可能な移動片３１に前記クラッチ爪２７に係合可能な爪２９を設けて、該爪２９をクラッチ爪２７に係合させると苗床送ローラー２２が回転されない回転阻止状態を保持し、逆に係合を外すと回転可能状態になるよう構成されている。３２は移動片３１の軸方向移動を停止状態に安定保持するボールを示す。」（３欄１８行〜４欄１８行）、「苗タンク７が左右の横端に達したときには、伝動ケース３内の間欠揺動機構によってアーム１９が第２図実線状態から仮想線状態の如く矢印ロ側へ回動される。したがつて、ロッド２０を介して揺動カム１７が枢着部１８を中心に仮想線の状態に回動され、このとき、回動レバー１４のカムフロアー１６を係合して該回動レバー１４を矢印イ方向へ回動しラチエツト爪１５、ラチエツトホイル１３を介して回転軸１２を同じ矢印イ方向へ一定量回転させる。すると、苗床送ローラー２２は、摩擦式クラッチ機構２４の摩擦回転子２５の弾圧により回転されて苗床を係合爪２３で係合して苗床受板３３方向へ苗床を移動する。そして、揺動カム１７がカムフロアー１６から外れると復帰２１でもつて回動レバー１４は元の位置に復帰する。
　このようにして、苗タンク７が左右横端に達する毎に苗床送ローラー２２が回転して土付板状苗Ａを縦送りし苗分割挿植爪５に的確に苗を供給する。」（４欄４１行〜５欄１５行）、「このために、植付けしないで空植えさせる挿苗杆４に対応する苗タンク７に設けられている苗床送ローラー２２を回転しないように切替機構２６を操作する。即ち、レバー２８を第３図仮想線の状態から実線の状態に操作して移動片３１の爪２９を苗床送ローラー２２のクラッチ爪２７に係合する。そして、この状態で、土付板状苗Ａの苗床前端面を苗床送ローラー２２の苗床係合爪２３に第１図の如く係合させる。すると、苗タンク７の横端に至り、回転軸１２が回転されても、摩擦式クラッチ機構２４部の回転子２５と苗床送ローラー２２との間で滑りが発生して該苗床送ローラー２２が停止状態を保持する。したがつて、土付板状苗Ａは苗床受板３３部にまで滑落ちることなく第１図に示した状態に保持されていて植付けしない空植付条を起させるのである。」（５欄２３行〜６欄５行）。
　甲第４号証ないし甲第４号証の４のそれぞれには、植付ユニット別に設けられたクラッチと各操作レバーをワイヤを介して連結することが記載されている。
（４）対比、判断
　本件発明は、多条の植付作業を行う田植機の左側又は右側の一部の植付爪の駆動を停止して部分的な植付作業を行う場合に、駆動を停止した植付爪で苗取りを行う苗載台の苗の縦送りを、植付爪の駆動の停止と同時に中断するようにしたものに関し（【００１５】参照。）、とくに、苗縦送り部材への駆動力の伝達と停止機構部分に係る。特許請求の範囲の記載によればその内容は、『駆動力は、縦送り駆動カム（４０ａ）から縦送り従動カム（４０ｂ）を介して回転支軸（５８）に伝えられる。左右各２条分の苗縦送り部材（４３）…は、この共通の駆動軸である回転支軸（５８）からそれぞれ駆動力をとる。この駆動力をとることについて、左右各２条分の苗縦送り部材（４３）と回転支軸（５８）との間にはクラッチが介在している。クラッチの駆動力伝達要素は固定側クラッチ（６３）と可動側クラッチ（６４）であり、固定側クラッチ（６３）のクラッチ爪（６２ａ）と可動側クラッチ（６４）のクラッチ爪（６２ｂ）が噛合って駆動力の伝達が行われ、噛合いが解除されて駆動力の伝達が遮断される。この固定側クラッチ（６３）のクラッチ爪（６２ａ）と可動側クラッチ（６４）のクラッチ爪（６２ｂ）の噛合いないし噛合いの解除は、可動側クラッチの外周に設けた縦送りクラッチ（６８）を作動させて行う。縦送りクラッチ（６８）の作動は、縦送りクラッチ（６８）とユニットクラッチレバー（５７ｂ）（５７ｃ）をワイヤで連結し、ユニットクラッチレバー（５７ｂ）（５７ｃ）を操作して遠隔的に行う。』ものであると理解される。
　甲第１号証について、対応する構成部分をみると、『支軸（８）にベルト車（５）、爪車（１３）、及びアーム（１４）が軸支されている。アーム（１４）には爪車（１３）に係合する爪（１５）が取付られており、爪車（１３）、アーム（１４）、及び爪（１５）は、アーム（１４）の揺動により一方向間欠回転する爪車装置を構成している。爪（１５）は爪車（１３）に係合する位置から係合を解除してストッパー（１８）に接当する位置まで移動させることができ、係合の解除により駆動力の伝達が断たれるから、これによりクラッチ（１９）を構成している。爪車（１３）はベルト車（５）と連接しており、ベルト車（５）は爪車（１３）と同期して一方向間欠回転する。ベルト車（５）と爪車装置は対になっていて、ベルト車（５）毎に駆動力の伝達を遮断することができるものの、ベルト車（５）の数だけ駆動力の伝達装置である、爪車装置を必要とする。』（甲第１号証の摘記事項および第２，３図参照。）ものであると理解される。
　甲第１号証のもののベルト車（５）、支軸（８）が、本件発明の苗縦送り部材（４３）、回転支軸（５８）に相当するが、甲第１号証のものの支軸（８）は駆動軸ではないから、そこから駆動力をとることはできず、また支軸（８）とベルト車（５）の間にクラッチが介在することもない。ベルト車（５）の駆動力はベルト車（５）に連接する爪車装置からとるようになっており、爪車装置内にクラッチ（１９）が組み込まれている。したがって、甲第１号証のものは、本件発明のものと構成が相違し、本件発明のものを示唆しない。
　甲第２号証について、対応する構成部分をみると、『苗縦送り機構側にあるカムフォロア３５が駆動カム３３ａ、３３ｂに係合して苗縦送り機構を駆動する。駆動力伝達の入切は、駆動カム３３ａ、３３ｂとカムフォロア３５間で行われる。駆動カム３３ａ、３３ｂごとに、カムフォロア３５、苗縦送り機構が対のものとしてあり、それぞれの苗縦送り機構ごとに駆動制御ができる。』（甲第２号証の摘記事項および第３，４図参照。）ものであると理解される。
　甲第２号証のもののカムフォロア３５、駆動カム３３ａ、３３ｂ、が本件発明の縦送り従動カム（４０ｂ）、縦送り駆動カム（４０ａ）に相当するが、甲第２号証のものにはカムフォロア３５以下の苗縦送り機構の具体的構成が欠如している。したがって、甲第２号証のものは、本件発明のものを示唆するものがない。
　甲第３号証について、対応する構成部分をみると、『回転軸１２に、苗床送ローラー２２が軸支され、ラチエツトホイル１３が軸支固定され、回動レバー１４が軸支されている。回動レバー１４にはラチエツトホイル１３に係合するラチエツト爪１５が取付られており、ラチエツトホイル１３、回動レバー１４、及びラチエツト爪１５は、回動レバー１４の揺動により一方向間欠回転する爪車装置を構成している。ラチエツトホイル１３が回転軸１２に固定されているから、回転軸１２はラチエツトホイル１３と同期して一方向間欠回転する駆動軸となっている。摩擦式クラッチ２４（摩擦回転子２５、クラッチばね２６）の摩擦回転子２５が回転軸１２と共回りするとともに軸方向に移動自在に取り付けられ、苗床送ローラー２２の側端面にクラッチばね２６で圧接されている。摩擦回転子２５の圧接により、苗床送ローラー２２は、回転軸１２と一体的に回転される。苗床送ローラー２２の摩擦回転子２５側とは反対側にクラッチ爪２７が設けられ、苗タンク７に固定された切替機構３６の爪２９がクラッチ爪２７に係合されるように設けられている。爪２９がクラッチ爪２７に係合されると、苗床送ローラー２２が回転されない回転阻止状態を保持し、逆に係合をはずすと回転可能な状態となる。』（甲第３号証の摘記事項および第２，３図参照。）ものであると理解される。
　甲第３号証のものの回転軸１２、爪車装置（ラチエツトホイル１３、回動レバー１４、及びラチエツト爪１５）、苗床送ローラー２２の被圧接側端面を含めた摩擦式クラッチ機構２４、苗床送ローラー２２が本件発明の回転支軸（５８）、縦送り従動カム（４０ｂ）、クラッチ（クラッチを代表するものとしてのあるいは広義の「クラッチ（６８）」）、苗縦送り部材（４３）に相当し、甲第３号証のものは、駆動軸から、クラッチを介し苗床送ローラー２２の駆動力を取っている点で、本件発明と共通する。しかし、甲第３号証のものには、クラッチを切断する機構が無い。すなわち、本件発明の「（本来のあるいは狭義の）クラッチ（６８）」に相当するものがない。当然それらの操作機構も存在しない。甲第３号証のものでは、クラッチが摩擦式であることを利用して、摩擦式クラッチから駆動力を入力したまま、その反対側から切替機構３６を用いて強制的に苗床送ローラー２２の回転を阻止する力を加えている。したがって、摩擦式クラッチと苗床送ローラー２２の間ではその間滑りが生じている。そうであるから、甲第３号証のものはクラッチを切ることを要しない。したがって、クラッチの切断機構も存在しないのである。そして、切替機構３６を備えた甲第３号証のものと、駆動力の入切要素である「クラッチ（６８）」を備えた本件発明のものとは、ほとんど異なる考えで駆動力の伝達と停止機構が設計されているのであって、甲第３号証のものは、本件発明のものと構成が相違し、本件発明のものを示唆しない。
　甲第４号証ないし甲第４号証の４のそれぞれには、植付ユニット別に設けられたクラッチと各操作レバーをワイヤを介して連結することが記載されているが、これらは、苗縦送り部材への駆動力の伝達と停止機構部分のあり方を示唆しない。　
　そして、本件発明は、上記構成により、特許明細書に記載のような「クラッチ（６８）の回動によるクラッチ（６２ａ）（６２ｂ）の噛合解除によってその駆動が停止され、各スターホイル（４３）による苗の縦送りを中断させる。この結果植付爪（１４）の駆動が停止してもこれに対向する苗載台（１３）の苗の縦送りが行われて苗マットが形崩れを起こすなどの不都合が解消され、苗マットは常に正確且つ安全に苗載台（１３）上に保持される。したがって植付再開時などに欠株や植付姿勢不良などを起こすことがなく常に良好な植付作業が行える。」（【００１５】）という作用効果を生じるものである。
　したがって、本件発明は異議申立人　山本　進　が提出した刊行物に記載された発明に基づいて当業者が容易に発明をすることができたものではない。
４．むすび
　以上のとおりであるから、異議申立人　山本　進　の申立の理由及び提出した証拠によっては、本件発明についての特許を取り消すことことができない。
　また、他に本件発明についての特許を取り消すべき理由を発見しない。
　よって、結論のとおり決定する。
【異議決定日】
平成１３年９月２１日（２００１．９．２１）
【訂正の要旨】
　訂正の要旨
１．特許請求の範囲の減縮を目的として、特許明細書の特許請求の範囲第１項の記載を、
「【請求項１】
　左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており、前記回転支軸（５８）と左側２条分及び右側２条分の苗縦送り部材（４３）（４３）の連結途中で左側２条分及び右側２条分の植付ユニット別に前記クラッチ爪（６２ａ）（６２ｂ）を噛合せ状態及び噛合せを解除させて縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させたことを特徴とする田植機の植付装置。」と訂正する。
２．上記１の特許明細書の特許請求の範囲第１項の訂正と整合させるため、明りょうでない記載の釈明を目的として、
（１）特許明細書の段落【０００４】の記載を、
「【課題を解決するための手段】
　然るに、本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ連結部（６７）を有しており、前記回転支軸（５８）と左側２条分及び右側２条分の苗縦送り部材（４３）（４３）の連結途中で左側２条分及び右側２条分の植付ユニット別に前記クラッチ爪（６２ａ）（６２ｂ）を噛合せ状態及び噛合せを解除させて縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させたもので、回転支軸に苗縦送り部材を多重軸形に支持させ得、回転支軸軸芯上などに縦送りクラッチをコンパクトに取付け得ると共に、縦送り従動カムに縦送り駆動力を伝達させる縦送り駆動入力を従来のように植付ユニット数分だけ設ける必要がなく、また回転支軸に縦送り従動カムを設けることによって従来のように苗載台左右往復動用の横送り部材を兼用して縦送り力を伝達させる必要がなく、縦送り従動カムによって回転支軸に直接伝達させる縦送り駆動入力によって全ての植付ユニットの苗縦送り部材を駆動し得、回転支軸に至るまでの駆動系を全ての苗縦送り部材に共用し得、従来に比べて縦送り駆動構造の簡略化並びに製造コストの低減などを容易に行い得、さらに１条分の往復用縦送り駆動カムを筒体両端に設けて１条分の縦送りクラッチを形成する従来技術に比べ、１つのユニットクラッチによって停止させる２条分の植付爪と同一条数の２条分の苗縦送り部材を１本のユニットクラッチレバーで停止させる縦送りクラッチ構造を容易に得られ、ワイヤ連結させるユニットクラッチレバーまたはユニットクラッチと離れた位置の苗載台に前記縦送りクラッチを容易に組込み得るものである。」
と訂正する。
（２）特許明細書の段落【００１２】の記載を、
「図５乃至図７に示す如く、前記縦送り軸（４２）は、回転支軸（５８）に一方向クラッチ（５９）を介し支持させて前記従動カム（４０ｂ）を外側に有するカム軸（６０）と、前記ユニットクラッチ（４８）に対応する苗載台（１３）条間の支軸（５８）上にピン（６１）を介し固設させて左右両側にクラッチ爪（６２ａ）を有する固定側クラッチ（６３）と、前記支軸（５８）の外周に嵌合させて前記クラッチ爪（６２ａ）に一側のクラッチ爪（６２ｂ）を適宜噛合せる可動側クラッチ（６４）と、前記可動クラッチ（６４）の外周に回動自在に支持させて一側にカム接触面（６５）を外側に前記ユニットクラッチレバー（５７ａ）（５７ｂ）（５７ｃ）とのワイヤ（６６）連結部（６７）を有してなる縦送りクラッチ（６８）と、前記苗載台（１３）の下面に固設させ左右両側に前記接触面（６５）に当接させるカム面（６９）を有する固定カム体（７０）と、一端を前記クラッチ（６４）（６８）にスプリング（７１）と長孔（７２）及びピン（７３）を介し支持させ他端を前記カム軸（６０）及び苗載台（１３）の支持部材（７４）に支持させる複数のスターホイル（４３）を有する縦送り筒軸（７５）とから構成し、通常は前記クラッチ爪（６２ａ）（６２ｂ）を噛合せ状態とさせることによって前記カム（４０ｂ）の一方向の間欠回転を支軸（５８）・クラッチ（６３）（６４）・ピン（６２）並びに筒軸（７５）などを介し前記スターホイル（４３）に伝達して苗載台（１３）上の苗の縦送りを行わしめる一方、前記ユニットクラッチレバー（５７ａ）（５７ｂ）（５７ｃ）の戻りバネ（７６）に抗するワイヤ（６６）の引張り操作によって前記クラッチ（６８）を回転させるとき、前記カム体（７０）のカム面（６９）と該クラッチ（６８）のカム接触面（６５）とのカム係合によってクラッチ（６４）（６８）を後退させ前記クラッチ爪（６２ａ）（６２ｂ）の噛合せを解除させてそのユニットクラッチ（４８）に対応する苗載台（１３）の各条のスターホイル（４３）を駆動停止させるように構成している。」と訂正する。
（３）特許明細書の段落【００１３】の記載を、
「上記から明らかなように、左側２条分及び右側２条分の植付爪（１４）を植付ユニット別に停止させる左側及び右側ユニットクラッチ（４８）を切にしたとき、その植付爪（１４）に対応する苗縦送り部材であるスターホイル（４３）を連動して停止させる縦送りクラッチ（６８）を設ける田植機の植付装置において、縦送り駆動カム（４０ａ）の駆動によって複数条用のスターホイル（４３）…を同時に作動させる縦送り従動カム（４０ｂ）を回転支軸（５８）に設け、該回転支軸（５８）にスターホイル（４３）を遊転軸支させ、前記回転支軸（５８）を介してスターホイル（４３）を苗載台（１３）に取付けると共に、前記回転支軸（５８）と左側２条分及び右側２条分のスターホイル（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側のスターホイル（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させている。そして、回転支軸（５８）にスターホイル（４３）を多重軸形に支持させ、回転支軸（５８）軸芯上などに縦送りクラッチ（６８）をコンパクトに取付けると共に、縦送り従動カム（４０ｂ）に縦送り駆動力を伝達させる縦送り駆動入力を従来のように植付ユニット数分だけ設ける必要がなく、また回転支軸（５８）に縦送り従動カム（４０ｂ）を設けることによって従来のように苗載台（１３）左右往復動用の横送り部材（３７）を兼用して縦送り力を伝達させる必要がなく、縦送り従動カム（４０ｂ）によって回転支軸（５８）に直接伝達させる縦送り駆動入力によって全ての植付ユニットのスターホイル（４３）を駆動させ、回転支軸（５８）に至るまでの駆動系を全てのスターホイル（４３）に共用させ、従来に比べて縦送り駆動構造の簡略化並びに製造コストの低減などを行え、さらに１条分の往復用縦送り駆動カムを筒体両端に設けて１条分の縦送りクラッチを形成する従来技術に比べ、１つのユニットクラッチ（４８）によって停止させる２条分の植付爪（１４）（１４）と同一条数の２条分のスターホイル（４３）（４３）を１本のユニットクラッチレバー（５７ｂ）（５７ｃ）で停止させる縦送りクラッチ（６８）（６８）構造を容易に得られ、ワイヤ（５６）（６６）（５６）（６６）連結させるユニットクラッチレバー（５７ｂ）（５７ｃ）またはユニットクラッチ（４８）（４８）と離れた位置の苗載台（１３）に前記縦送りクラッチ（６８）（６８）を容易に組込み得るように構成している。」と訂正する。
（４）特許明細書の段落【００１６】の記載を、
「【発明の効果】
　以上実施例から明らかなように本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており、前記回転支軸（５８）と左側２条分及び右側２条分の苗縦送り部材（４３）（４３）の連結途中で左側２条分及び右側２条分の植付ユニット別に前記クラッチ爪（６２ａ）（６２ｂ）を噛合せ状態及び噛合せを解除させて縦送り力を入切させる左側及び右側の縦送りクラッチ（６８）（６８）を設け、回転支軸（５８）に対し前記の左側及び右側の苗縦送り部材（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）（４８）と縦送りクラッチ（６８）（６８）を左側または右側の単一のユニットクラッチレバー（５７ｂ）（５７ｃ）にワイヤ（５６）（６６）（５６）（６６）連結させたもので、回転支軸（５８）に苗縦送り部材（４３）を多重軸形に支持させることができ、回転支軸（５８）軸芯上などに縦送りクラッチ（６８）をコンパクトに取付けることができると共に、縦送り従動カム（４０ｂ）に縦送り駆動力を伝達させる縦送り駆動入力を従来のように植付ユニット数分だけ設ける必要がなく、また回転支軸（５８）に縦送り従動カム（４０ｂ）を設けることによって従来のように苗載台（１３）左右往復動用の横送り部材（３７）を兼用して縦送り力を伝達させる必要がなく、縦送り従動カム（４０ｂ）によって回転支軸（５８）に直接伝達させる縦送り駆動入力によって全ての植付ユニットの苗縦送り部材（４３）を駆動でき、回転支軸（５８）に至るまでの駆動系を全ての苗縦送り部材（４３）に共用でき、従来に比べて縦送り駆動構造の簡略化並びに製造コストの低減などを容易に行うことができ、さらに１条分の往復用縦送り駆動カムを筒体両端に設けて１条分の縦送りクラッチを形成する従来技術に比べ、１つのユニットクラッチ（４８）によって停止させる２条分の植付爪（１４）（１４）と同一条数の２条分の苗縦送り部材（４３）（４３）を１本のユニットクラッチレバー（５７ｂ）（５７ｃ）で停止させる縦送りクラッチ（６８）（６８）構造を容易に得ることができ、ワイヤ（５６）（６６）（５６）（６６）連結させるユニットクラッチレバー（５７ｂ）（５７ｃ）またはユニットクラッチ（４８）（４８）と離れた位置の苗載台（１３）に前記縦送りクラッチ（６８）（６８）を容易に組込むことができるものである。」と訂正する。
（５４）【発明の名称】
田植機の植付装置
（５７）【特許請求の範囲】
　【請求項１】左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、
前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており
前記クラッチ爪（６２ａ）（６２ｂ）を噛合せ状態及び噛合せを解除させて
（４８）
（６８）
（５６）（６６）
【発明の詳細な説明】
　【０００１】
　【発明の属する技術分野】
　本発明は植付部に備える複数の植付ケースにそれぞれ植付爪を駆動支持させてなる多条植田植機の植付装置に関する。
　【０００２】
　【従来の技術】
　従来、実公昭５７−５３１２５号公報に示す如く、ユニットクラッチと縦送りクラッチを連動させ、植付爪を停止させたとき、これに対応する苗縦送り部材を自動的に停止させる技術があった。
　【０００３】
　【発明が解決しようとする課題】
　しかし乍ら、前記従来技術は、縦送り駆動カムを作動または停止させるように、縦送りクラッチを構成していたから、植付ユニット数と同数分の縦送り駆動カム機構を植付ケースに設置させる必要があり、縦送り駆動構造の簡略化並びに製造コストの低減などを容易に行い得ない等の問題があった。
　また、２条分の植付爪を一組として入切するユニットクラッチと、１条分の往復用の縦送り駆動カムを設ける筒体を１本の操作レバーに連結させるから、レバー操作によって２条分の植付爪を停止させても１条分の縦送りが停止するだけである。そこで、２条分の縦送りを１本の操作レバーによって入切するには、もう１条分の筒体を前記筒体もしくは操作レバーに連結させたり、前記の１条分の筒体を延長させてもう１条分の往復用の縦送り駆動カムを筒体延長部に設ける必要があり、縦送り駆動カム取付機構が極めて複雑になる不具合がある。
　【０００４】
　【課題を解決するための手段】
　然るに、本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、
前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており
前記クラッチ爪（６２ａ）（６２ｂ）を噛合せ状態及び噛合せを解除させて
（４８）
（６８）
（５６）（６６）
　【０００５】
　【発明の実施の形態】
　以下本発明の一実施例を図面に基づいて詳述する。図１は乗用田植機の側面図、図２は同平面図を示し、図中（１）は作業者が搭乗する走行車であり、（２）はベースフレーム（３）に搭載するエンジン、（４）は前記エンジン（２）を覆うボンネット、（５）は前記ベースフレーム（３）後端に連設するミッションケース、（６）は前記ミッションケース（５）の後端左右両側に連設する車軸ケース、（７）（８）は水田走行用前後車輪、（９）は運転席、（１０）は操向ハンドル、（１１）は予備苗載台である。
　【０００６】
　さらに図中（１２）は多条植え用の苗載台（１３）並びに複数の植付爪（１４）などを具備する植付部であり、前高後低の後傾式苗載台（１３）を案内レール（１５）及びガイドレール（１６）を介して植付ケース（１７）に左右往復摺動自在に支持させると共に、クランク運動させる植付アーム（１８）並びに植付爪駆動軸（１９）を介して植付ケース（１７）に前記植付爪（１４）を取付ける。
　前記植付ケース（１７）の下方に滑走体である植付面均平用の主フロート（２０）及び左右のサイドフロート（２１）（２１）を装設し、前記走行車（１）に三点リンク機構（２２）及び油圧シリンダ（２３）を介し植付部（１２）を昇降自在に連結させ、前記前後車輪（７）（８）を略定速で駆動走行すると同時に、左右に往復摺動させる苗載台（１３）から一株分の苗を植付爪（１４）によって連続的に取出して圃場に苗植え作業を行っていくように構成する。
　【０００７】
　なお、（２４）はサイドクラッチペダル、（２５）は主クラッチペダル、（２６）は主変速レバー、（２７）は植付部昇降レバーである。
　【０００８】
　図３に示す如く、前記植付爪（１４）は植付駆動ケース（２８）に固定支持させる三つの植付ケース（１７）それぞれ取付けるように構成したもので、中央の植付ケース（１７ａ）に伝動パイプ（２９ａ）（２９ｂ）を介し固定支持させる左右の植付ケース（１７ｂ）（１７ｃ）の左右後端両側に各二つの植付爪（１４）（１４）を取付けると共に、前記駆動ケース（２８）に一体連設する中央の植付ケース（１７ａ）に１つの植付爪（１４）を取付けるように構成している。
　【０００９】
　そして前記駆動ケース（２８）は入力ギヤ（３０）・植付クラッチ（３１）並びに多板クラッチ（３２）などを有する入力駆動軸（３３）と、該駆動軸（３３）にギヤ変速機構（３４）を介し連動連結させる横送り軸（３５）と、該横送り軸（３５）の往復ネジ溝（３５ａ）に嵌合させる結合体（３６）に一体支持する横送り杆（３７）などを備え、前記横送り軸（３５）の回転時前記横送り杆（３７）の左右両端にブラケット（３８）（３８）を介し支持させる苗載台（１３）を左右往復移動させるように構成している。また前記駆動ケース（２８）には縦送り駆動軸（３９）を軸架させていて、横送り距離だけ間隔を隔てて左右一対の縦送り駆動カム（４０ａ）（４０ａ）を前記駆動軸（３９）に設け、前記入力駆動軸（３３）にチェン伝動機構（４１）を介しこの駆動軸（３９）を連動連結させ、前記苗載台（１３）が左右移動終達に到達したとき前記苗載台（１３）に備える苗縦送り駆動機構である縦送り軸（４２）の縦送り従動カム（４０ｂ）に一方の前記駆動カム（４０ａ）を当接させて該縦送り軸（４２）を一方向に間欠回転させることによって、前記軸（４２）に取付けた苗縦送り部材であるスターホイル（４３）を回転させ、苗載台（１３）上の苗マットを傾斜下端側に縦送りするように構成している。
　【００１０】
　一方、前記駆動軸（３３）にチェン伝動機構（４４）を介し連動連結する植付ケース（１７ａ）（１７ｂ）（１７ｃ）の各伝動入力軸（４５）には安全クラッチ（４６）をそれぞれ有し、植付ケース（１７ａ）（１７ｂ）（１７ｃ）の後端側に取付ける前記植付爪駆動軸（１９）にチェン伝動機構（４７）を介し前記入力軸（４５）を連動連結させて、この入力軸（４５）の回転によって各駆動軸（１９）に取付けるそれぞれの植付爪（１４）を上下駆動させるように構成している。
　【００１１】
　図４に示す如く、前記植付ケース（１７ａ）（１７ｂ）（１７ｃ）の各駆動軸（１９）には前記入力軸（４５）からの駆動力を適宜継断させるユニットクラッチ（４８）をそれぞれ備えるもので、該クラッチ（４８）は前記伝動機構（４７）のスプロケット（４９）を一体固設する前記駆動軸（１９）に遊嵌の固定爪クラッチ（５０）と、前記駆動軸（１９）にスプライン嵌合させる可動爪クラッチ（５１）と、前記可動爪クラッチ（５１）を固定爪クラッチ（５０）にそのバネ力でもって噛合せるクラッチバネ（５２）と、前記爪クラッチ（５０）（５１）の噛合せを適宜解除させるシフター（５３）及びクラッチアーム（５４）とから構成し、常態時においては前記クラッチバネ（５２）でもって各爪クラッチ（５０）（５１）を噛合せ状態とさせて前記入力軸（４５）からの駆動力により植付爪（１４）を上下駆動させる一方、引張りバネ（５５）及びワイヤ（５６）を介し前記アーム（５４）に連結する各ユニットクラッチレバー（５７ａ）（５７ｂ）（５７ｃ）の操作によって爪クラッチ（５０）（５１）の噛合せを解除させたとき前記植付爪（１４）の駆動を停止させるように構成している。
　【００１２】
　図５乃至図７に示す如く、前記縦送り軸（４２）は、回転支軸（５８）に一方向クラッチ（５９）を介し支持させて前記従動カム（４０ｂ）を外側に有するカム軸（６０）と、前記ユニットクラッチ（４８）に対応する苗載台（１３）条間の支軸（５８）上にピン（６１）を介し固設させて左右両側にクラッチ爪（６２ａ）を有する固定側クラッチ（６３）と、前記支軸（５８）の外周に嵌合させて前記クラッチ爪（６２ａ）に一側のクラッチ爪（６２ｂ）を適宜噛合せる可動側クラッチ（６４）と、前記可動クラッチ（６４）の外周に回動自在に支持させて一側にカム接触面（６５）を外側に前記
ユニット
ユニット
　【００１３】
　上記から明らかなように、左側２条分及び右側２条分の植付爪（１４）を植付ユニット別に停止させる左側及び右側ユニットクラッチ（４８）を切にしたとき、その植付爪（１４）に対応する苗縦送り部材であるスターホイル（４３）を連動して停止させる縦送りクラッチ（６８）を設ける田植機の植付装置において、縦送り駆動カム（４０ａ）の駆動によって複数条用のスターホイル（４３）…を同時に作動させる縦送り従動カム（４０ｂ）を回転支軸（５８）に設け、該回転支軸（５８）にスターホイル（４３）を遊転軸支させ、前記回転支軸（５８）を介してスターホイル（４３）を苗載台（１３）に取付けると共に、前記回転支軸（５８）と左側２条分及び右側２条分のスターホイル（４３）（４３）の連結途中で左側２条分及び右側２条分の植付ユニット別に縦送り力を入切させる左側及び右側の縦送りクラッチ（６８）（６８）を設け、回転支軸（５８）に対し前記の左側及び右側のスターホイル（４３）（４３）を左側２条分及び右側２条分の植付ユニット別に係脱自在に前記の左側及び右側の縦送りクラッチ（６８）（６８）を介して連結させ、左側または右側の同一条数分のユニットクラッチ（４８）
（４８）
（６８）
（５６）（６６）
（６８）
（５６）（６６）
（４８）
（６８）
　【００１４】
　なお、図１及び図２、図８に示す如く、この田植機は左右の筋引マーカ（７７）及びサイドマーカ（７８）の他に補助マーカ（７９）を備えるもので、前記マーカ（７９）基端をベースフレーム（３）のマーカ取付台（８０）に取付ネジ（８１）を介し突出長さ調節自在に且つ水平回転自在に支持させて、使用時にはこのマーカ（７９）先端を機体斜め前方の隣接条上方に沿わせ機体を走行させるように構成している。
　【００１５】
　本実施例は上記の如く構成するものにして、前記車輪（７）（８）を転動させて走行移動すると共に、苗載台（１３）を左右に往復摺動させ、苗載台（１３）のマット苗を植付爪（１４）によって分割して一株分ずつ取出して順次植付けるもので、今左側の植付ケース（１７ｂ）のユニットクラッチ（４８）を切状態とさせて残りの植付ケース（１７ｂ）（１７ｃ）の植付爪（１４）によって三条の植付作業を行う場合において、前記クラッチレバー（５７ｂ）を切操作すると前記植付ケース（１７ｂ）のユニットクラッチ（４８）が切状態となってこのケース（１７ｂ）に取付ける左右２条分の植付爪（１４）（１４）の駆動を停止させると同時に、この植付爪（１４）（１４）によって苗取りを行う苗載台（１３）の２条分の前記縦送り筒軸（７５）も前記クラッチ（６８）の回動によるクラッチ（６２ａ）（６２ｂ）の噛合せ解除によってその駆動が停止され、各スターホイル（４３）による苗の縦送りを中断させる。この結果植付爪（１４）の駆動が停止してもこれに対応する苗載台（１３）の苗の縦送りが行われて苗マットが形崩れを起すなどの不都合が解消され、苗マットは常に正確且つ安全に苗載台（１３）上に保持される。したがって植付再開時などに欠株や植付姿勢不良などを起すことがなく常に良好な植付作業が行える。
　【００１６】
　【発明の効果】
　以上実施例から明らかなように本発明は、左側２条分及び右側２条分の植付爪（１４）を植付ユニット別に停止させる左側及び右側ユニットクラッチ（４８）を切にしたとき、その植付爪（１４）に対応する苗縦送り部材（４３）を連動して停止させる縦送りクラッチ（６８）を設ける田植機の植付装置において、縦送り駆動カム（４０ａ）の駆動によって複数条用の苗縦送り部材（４３）…を同時に作動させる縦送り従動カム（４０ｂ）を回転支軸（５８）に設け、該回転支軸（５８）に苗縦送り部材（４３）を遊転軸支させ、前記回転支軸（５８）を介して苗縦送り部材（４３）を苗載台（１３）に取付けると共に、
前記回転支軸（５８）にクラッチ爪（６２ａ）を有する固定側クラッチ（６３）と該クラッチ爪（６２ａ）に一側のクラッチ爪（６２ｂ）を適宜噛合させる可動側クラッチ（６４）を設けると共に、前記可動側クラッチ（６４）の外周にユニットクラッチレバー（５７ｂ）（５７ｃ）とのワイヤ（６６）（６６）連結部（６７）（６７）を有しており
前記クラッチ爪（６２ａ）（６２ｂ）を噛合せ状態及び噛合せを解除させて
（４８）
（６８）
（５６）（６６）
（６８）
（５６）（６６）
（４８）
（６８）
【図面の簡単な説明】
　【図１】田植機の全体側面図。
　【図２】同平面図。
　【図３】部分拡大平面図。
　【図４】要部の拡大断面図。
　【図５】要部の拡大断面説明図。
　【図６】同部分拡大説明図。
　【図７】要部の作動系統説明図。
　【図８】マーカ部の拡大説明図。
　【符号の説明】
（１３）苗載台
（１４）植付爪
（４０ａ）縦送り駆動カム
（４０ｂ）縦送り従動カム
（４３）スターホイル（苗縦送り部材）
（４８）ユニットクラッチ
（５６）ワイヤ
（５７ｂ）左ユニットクラッチレバー
（５７ｃ）右ユニットクラッチレバー
（５８）回転支軸
（５９）ワイヤ
（６８）縦送りクラッチ